(57)【特許請求の範囲】
【請求項１】
回路基板に設けられたスイッチパターンと操作部の操作に応じてスイッチパターンに接離するキーとを有し押操作の復帰力としてゴムの弾性を利用したラバースイッチであって、上記キーが遊挿されるキー挿通孔が前壁に形成され且つキー挿通孔の周縁から全周にわたって前方へ筒状の前面側ガイドリブが突設された筐体と、ラバースイッチの操作部を露出させる窓孔が形成され筐体の前面に固着される前カバーとを備え、筐体と前カバーのいずれか一方に係止孔が設けられ他方に係止爪が設けられてなり係止爪が係止孔に係止される形で前カバーが筐体に固着されるものであって、上記操作部は、後端縁が筐体の前面における前面側ガイドリブの周辺に当接し上記押操作により上記復帰力を作用させる筒状の防水カバーがキートップの前端部から連続一体に突設され、前カバーの窓孔の内周面において周方向の全周にわたって防水カバーの後部の外周面との間の距離を防水カバーの厚みよりも小さくするように突設された環状の防水用押付突起が防水カバーの外周面に押し付けられて密着した状態で防水カバーの後部の周壁が前面側ガイドリブの外周面と前カバーの窓孔の内周面との間に挟持され、上記防水カバーにおいて前面側ガイドリブとの対向面において周方向の全周にわたって前面側ガイドリブとの距離を他の部位よりも小さくするように突設された環状の防水用弾性突起が弾性変形して前面側ガイドリブに密着してなることを特徴とするラバースイッチの防水構造。
【請求項２】
上記防水カバーの後端部には上記筐体の前面に密着する後鍔片が全周にわたって突設され、上記前カバーの後面において上記窓孔の周部には後鍔片が密着する凹部が形成され、後鍔片は上記筐体の前面と上記前カバーの後面の凹部の底面との間に挟持されてなることを特徴とする請求項１記載のラバースイッチの防水構造。
【請求項３】
上記スイッチパターンおよび上記キーをそれぞれ複数個ずつ備え、１枚のシート状のゴムに上記複数個のキーがそれぞれ防水カバーを介して一体に形成されてなることを特徴とする請求項１記載のラバースイッチの防水構造。
【請求項４】
上記筐体は、上記キー挿通孔の周縁から全周にわたって後方へ筒状の後面側ガイドリブが突設されてなることを特徴とする請求項１ないし請求項３のいずれかに記載のラバースイッチの防水構造。
【請求項５】
上記前面側ガイドリブおよび上記後面側ガイドリブは、円筒状の形状に形成されてなることを特徴とする請求項４記載のラバースイッチの防水構造。
【請求項６】
上記後面側ガイドリブの後端部は、後端縁に近づくほど内径が大きくなる形状に形成されてなることを特徴とする請求項５記載のラバースイッチの防水構造。
【請求項７】
上記操作部の前面の中央部には操作位置を指示する指示凹部が形成されてなることを特徴とする請求項１ないし請求項６のいずれかに記載のラバースイッチの防水構造。
【発明の詳細な説明】
【０００１】
【発明の属する技術分野】
本発明は、回路基板に設けられたスイッチパターンと操作部の操作に応じてスイッチパターンに接離するキーとを有し押操作の復帰力としてゴムの弾性を利用したラバースイッチの防水構造に関するものである。
【０００２】
【従来の技術】
従来のラバースイッチの防水構造としては、キーが一体に形成された弾性体シートをプリント基板よりなる回路基板上に配設し、キーが遊挿されるキー挿通孔が前壁に形成された筐体の前壁の後面において円筒状の防水用リブを後方へ突設し防水用リブの先端縁を弾性体シートにおけるキー周辺の部分に押し付けるように構成して水の侵入経路の沿面距離を長くした構造や、キーが遊挿されるキー挿通孔が前壁に形成された筐体の前壁の後面側に上記キー挿通孔周部に当接させた弾性体シートを押圧する押え板を設けて封止した構造などが採用されている。ここに、後者の構造では、弾性体シートを押圧して封止するために、押え板に圧入孔を設けるとともに弾性体シートに圧入孔へ圧入される圧入突起を設ける構成や、押え板をねじにより筐体に取り付ける構成などが採用されている。
【０００３】
【発明が解決しようとする課題】
ところで、上述の前者の防水構造では、筐体の内部に防水用リブの突出高さ分だけのスペースが必要になって他の部品の収納スペースが狭くなってしまうという不具合があった。このため、薄型の筐体では筐体内において防水構造に必要なスペースの占める割合が大きくなってしまうので、筐体の薄型化が防水用リブの突出高さにより制約されてしまうという不具合があった。また、上述の後者の防水構造では、弾性体シートを押圧するために、圧入、ねじ止めなどの作業が必要なので、組立性が悪いという不具合があった。また、後者の防水構造においても筐体の内部に弾性体シートおよび押え板を収納しているので、他の部品の収納スペースが狭くなってしまうという不具合があった。
【０００４】
本発明は上記事由に鑑みて為されたものであり、その目的は、省スペース化が図れ組立性が良好なラバースイッチの防水構造を提供することにある。
【０００５】
【課題を解決するための手段】
請求項１の発明は、上記目的を達成するために、回路基板に設けられたスイッチパターンと操作部の操作に応じてスイッチパターンに接離するキーとを有し押操作の復帰力としてゴムの弾性を利用したラバースイッチであって、上記キーが遊挿されるキー挿通孔が前壁に形成され且つキー挿通孔の周縁から全周にわたって前方へ筒状の前面側ガイドリブが突設された筐体と、ラバースイッチの操作部を露出させる窓孔が形成され筐体の前面に固着される前カバーとを備え、筐体と前カバーのいずれか一方に係止孔が設けられ他方に係止爪が設けられてなり係止爪が係止孔に係止される形で前カバーが筐体に固着されるものであって、上記操作部は、後端縁が筐体の前面における前面側ガイドリブの周辺に当接し上記押操作により上記復帰力を作用させる筒状の防水カバーがキートップの前端部から連続一体に突設され、前カバーの窓孔の内周面において周方向の全周にわたって防水カバーの後部の外周面との間の距離を防水カバーの厚みよりも小さくするように突設された環状の防水用押付突起が防水カバーの外周面に押し付けられて密着した状態で防水カバーの後部の周壁が前面側ガイドリブの外周面と前カバーの窓孔の内周面との間に挟持され、上記防水カバーにおいて前面側ガイドリブとの対向面において周方向の全周にわたって前面側ガイドリブとの距離を他の部位よりも小さくするように突設された環状の防水用弾性突起が弾性変形して前面側ガイドリブに密着してなることを特徴とするものであり、キー挿通孔の周縁から全周にわたって前方へ筒状の前面側ガイドリブが突設された筐体と、ラバースイッチの操作部を露出させる窓孔が形成され筐体の前面に固着される前カバーとを備え、上記操作部は、後端縁が筐体の前面における前面側ガイドリブの周辺に当接し上記押操作により上記復帰力を作用させる筒状の防水カバーがキートップの前端部から連続一体に突設され、前カバーの窓孔の内周面において周方向の全周にわたって防水カバーの後部の外周面との間の距離を防水カバーの厚みよりも小さくするように突設された環状の防水用押付突起が防水カバーの外周面に押し付けられて密着した状態で防水カバーの後部の周壁が前面側ガイドリブの外周面と前カバーの窓孔の内周面との間に挟持され、上記防水カバーにおいて前面側ガイドリブとの対向面において周方向の全周にわたって前面側ガイドリブとの距離を他の部位よりも小さくするように突設された環状の防水用弾性突起が弾性変形して前面側ガイドリブに密着しているので、従来の防水用リブを筐体の前壁の後面から後方へ突出させた防水構造や筐体内に弾性体シートおよび押え板を配設した防水構造に比べて省スペースで確実な防水機能が得られる。また、組立時には筐体の前方から前面側ガイドリブを通してキー挿通孔へキーを挿入してキートップの前端部から連続一体に突設された防水カバーの後端縁を筐体の前面に当接させた後、操作部を露出させる窓孔が形成された前カバーを筐体の前方から固着すれば防水構造が実現されるから、前カバーを筐体に固着する構成として前カバーを筐体に嵌め込む構成を採用することができて、圧入やねじ止めなどの作業が不要になり、組立性が向上する。
【０００６】
請求項２の発明は、請求項１の発明において、上記防水カバーの後端部には上記筐体の前面に密着する後鍔片が全周にわたって突設され、上記前カバーの後面において上記窓孔の周部には後鍔片が密着する凹部が形成され、後鍔片は上記筐体の前面と上記前カバーの後面の凹部の底面との間に挟持されているので、従来のように筐体の内部に防水用リブを設けることなしに水の侵入経路の沿面距離を長くすることができ、防水性を高めることができるるとともに、上記キーの上記筐体からの脱落を防止することができる。
【０００７】
請求項３の発明は、請求項１の発明において、上記スイッチパターンおよび上記キーをそれぞれ複数個ずつ備え、１枚のシート状のゴムに上記複数個のキーがそれぞれ防水カバーを介して一体に形成されているので、複数個のラバースイッチの防水構造を実現することができる。
【０００８】
請求項４の発明は、請求項１ないし請求項３の発明において、上記筐体は、上記キー挿通孔の周縁から全周にわたって後方へ筒状の後面側ガイドリブが突設されているので、ラバースイッチの操作性が向上する。
【０００９】
請求項５の発明は、請求項４の発明において、上記前面側ガイドリブおよび上記後面側ガイドリブは、円筒状の形状に形成されているので、ラバースイッチの操作性がさらに向上する。
【００１０】
請求項６の発明は、請求項５の発明において、上記後面側ガイドリブの後端部は、後端縁に近づくほど内径が大きくなる形状に形成されているので、ラバースイッチのキーの先端部が上記後面側ガイドリブに接触するのを防ぐことができる。
【００１１】
請求項７の発明は、請求項１ないし請求項６の発明において、上記操作部の前面の中央部には操作位置を指示する指示凹部が形成されているので、操作部に押力を作用させるべき位置が前面の中央部であることが明確に示され、また、手触りでも分かるようになるから、さらに操作性が向上する。
【００１２】
【発明の実施の形態】
本実施形態では、図１および図２に示すように、筐体１の前壁１ａに操作部７の押操作の復帰力としてゴムの弾性を利用したラバースイッチ５の円柱状のキー５ａが遊挿される円形状のキー挿通孔４が形成されている。ここに、筐体１は合成樹脂により形成され、キー５ａはゴムにより形成されている。以下では、図１における上下方向を前後方向として規定する。キー５ａの先端縁には可動接点（図示せず）が固着されており、筐体１内には、キー５ａの先端縁に固着された上記可動接点に対向する部位にスイッチパターンとしての固定接点（図示せず）が設けられたプリント基板よりなる回路基板１２が配設されている。
【００１３】
筐体１は、前壁１ａの前面におけるキー挿通孔４の周縁から全周にわたって前方へ円筒状の前面側ガイドリブ２が突設され、前壁１ａの後面におけるキー挿通孔４の周縁から全周にわたって後方へ円筒状の後面側ガイドリブ３が突設されている。
【００１４】
筐体１の前壁１ａの前面側には、ラバースイッチ５の操作部７を露出させる円形状の窓孔１０が形成されキー５ａの脱落を防止する合成樹脂製の前カバー９が当該前カバー９の後面を前壁１ａの前面に当接させた形で固着されている。
【００１５】
ところで、操作部７は、後端縁が筐体１の前面における前面側ガイドリブ２の周辺に当接し上記押操作により上記復帰力を作用させる円筒状の防水カバー７ｂがキートップ５ｂの前端部から連続一体に突設されている。また、防水カバー７ｂの後端部には筐体１の前面に密着する後鍔片７ｃが全周にわたって突設され、前カバー９の後面において窓孔１０の周部には底面に後鍔片７ｃが密着する凹部９ｂが形成され、後鍔片７ｃは筐体１の前面と前カバー９の後面の凹部９ｂの底面との間に挟持されている。したがって、水の侵入経路の沿面距離を長くすることができ、防水性を高めることができる。なお、凹部９ｂは円形状に開口されている。
【００１６】
本実施形態では、操作部７を押操作することにより、防水カバー７ｂが弾性変形してキー５ａが回路基板１２に近づく向きに変位し、押操作を解除すると防水カバー７ｂの復帰力により、キー５ａが回路基板１２から離れる向きに変位して押操作前の位置に戻ることになる。すなわち、操作部７の操作によりキー５ａの先端縁に固着された上記可動接点が回路基板１２に設けられた上記固定接点と接離する。ここにおいて、本実施形態では、キー５ａが前面側ガイドリブ２および後面側ガイドリブ３に案内されて前後方向（キー５ａの軸方向）に移動するので、操作性が向上する。また、操作部７の前面の中央部（すなわち、キートップ５ｂの前面の中央部）には操作位置を指示する断面弧状の指示凹部７ｄが形成されているので、操作部７に押力を作用させるべき位置が前面の中央部であることが明確に示され、また、手触りでも分かるようになるから、さらに操作性が向上する。また、前カバー９は、窓孔１０の周部の全周にわたって前方へ突出し先端縁が操作前の操作部７の前面に揃うリブ９ａが突設されているので、防水カバー７ｂを押すような誤操作を防止することができる。
【００１７】
さらに、後面側ガイドリブ３の後端部３ａは、後端縁に近づくほど内径が大きくなる形状に形成されているので、キー５ａの先端部が後面側ガイドリブ３に接触するのを防ぐことができる。なお、キー５ａを導電性ゴムにより形成すれば、先端に設ける上記可動接点を省略することができる。
【００１８】
ところで、本実施形態では、前カバー９の窓孔１０の内周面において周方向の全周にわたって防水カバー７ｂの後部の外周面との間の距離を防水カバー７ｂの厚みよりも小さくするように突設された円環状の防水用押付突起１１が防水カバー７ｂの外周面に押し付けられて密着した状態で防水カバー７ｂの後部の周壁が前面側ガイドリブ２の外周面と前カバー９の窓孔１０の内周面との間に挟持され、防水カバー７ｂにおいて前面側ガイドリブ２との対向面において周方向の全周にわたって前面側ガイドリブ２との距離を他の部位よりも小さくするように突設された円環状の防水用弾性突起８（図２参照）が弾性変形して前面側ガイドリブ２に密着している。すなわち、ラバースイッチ５は、操作部７を操作することで、密閉状態を保ちながら防水カバー７ｂの弾性によりキー５ａが前後方向に変位して上記可動接点と上記固定接点とからなる接点部がオンオフする。
【００１９】
上述の前カバー９は、筐体１に嵌め込むことで固着されるものであり、筐体１に設けられた係止孔（図示せず）に係止される係止爪（図示せず）が突設されている。なお、本実施形態では、前カバー９に係止爪を設け、筐体１に係止孔を設けた例を示したが、前カバー９に係止孔を設け、筐体１に係止爪を設ける構成としてもよい。
【００２０】
しかして、本実施形態では、キー挿通孔４の周縁から全周にわたって前方へ円筒状の前面側ガイドリブ２が突設された筐体１と、ラバースイッチ５の操作部７を露出させる窓孔１０が形成され筐体１の前面に固着される前カバー９とを備え、操作部７は、後端縁が筐体１の前面における前面側ガイドリブ２の周辺に当接し上記押操作により上記復帰力を作用させる円筒状の防水カバー７ｂがキートップ５ｂの前端部から連続一体に突設され、前カバー９の窓孔１０の内周面において周方向の全周にわたって防水カバー７ｂの後部の外周面との間の距離を防水カバー７ｂの厚みよりも小さくするように突設された円環状の防水用押付突起１１が防水カバー７ｂの外周面に押し付けられて密着した状態で防水カバー７ｂの後部の周壁が前面側ガイドリブ２の外周面と前カバー９の窓孔１０の内周面との間に挟持され、防水カバー７ｂにおいて前面側ガイドリブ２との対向面において周方向の全周にわたって前面側ガイドリブ２との距離を他の部位よりも小さくするように突設された円環状の防水用弾性突起８が弾性変形して前面側ガイドリブ２に密着しているので、従来の防水用リブを筐体の前壁の後面から後方へ突出させた防水構造や筐体内に弾性体シートおよび押え板を配設した防水構造に比べて省スペースで確実な防水機能が得られる。また、組立時には筐体１の前方から前面側ガイドリブ２を通してキー挿通孔４へキー５を挿入してキートップ５ｂの前端部から連続一体に突設された防水カバー７ｂの後端縁を筐体１の前面に当接させた後、操作部７を露出させる窓孔１０が形成された前カバー９を筐体１の前方から固着すれば防水構造が実現されるから、前カバー９を筐体１に固着する構成として前カバー９を筐体１に嵌め込む構成を採用することができて、圧入やねじ止めなどの作業が不要になり、組立性が向上する。
【００２１】
ところで、上記実施形態では、ラバースイッチ５を１つのみ設けてあるが、１枚のシート状のゴムに上記キー５ａを複数個一体に形成して、回路基板１２に複数個のスイッチパターンを設けるようにしてもよい。
【００２２】
【発明の効果】
請求項１の発明は、回路基板に設けられたスイッチパターンと操作部の操作に応じてスイッチパターンに接離するキーとを有し押操作の復帰力としてゴムの弾性を利用したラバースイッチであって、上記キーが遊挿されるキー挿通孔が前壁に形成され且つキー挿通孔の周縁から全周にわたって前方へ筒状の前面側ガイドリブが突設された筐体と、ラバースイッチの操作部を露出させる窓孔が形成され筐体の前面に固着される前カバーとを備え、筐体と前カバーのいずれか一方に係止孔が設けられ他方に係止爪が設けられてなり係止爪が係止孔に係止される形で前カバーが筐体に固着されるものであって、上記操作部は、後端縁が筐体の前面における前面側ガイドリブの周辺に当接し上記押操作により上記復帰力を作用させる筒状の防水カバーがキートップの前端部から連続一体に突設され、前カバーの窓孔の内周面において周方向の全周にわたって防水カバーの後部の外周面との間の距離を防水カバーの厚みよりも小さくするように突設された環状の防水用押付突起が防水カバーの外周面に押し付けられて密着した状態で防水カバーの後部の周壁が前面側ガイドリブの外周面と前カバーの窓孔の内周面との間に挟持され、上記防水カバーにおいて前面側ガイドリブとの対向面において周方向の全周にわたって前面側ガイドリブとの距離を他の部位よりも小さくするように突設された環状の防水用弾性突起が弾性変形して前面側ガイドリブに密着してなるものであり、キー挿通孔の周縁から全周にわたって前方へ筒状の前面側ガイドリブが突設された筐体と、ラバースイッチの操作部を露出させる窓孔が形成され筐体の前面に固着される前カバーとを備え、上記操作部は、後端縁が筐体の前面における前面側ガイドリブの周辺に当接し上記押操作により上記復帰力を作用させる筒状の防水カバーがキートップの前端部から連続一体に突設され、前カバーの窓孔の内周面において周方向の全周にわたって防水カバーの後部の外周面との間の距離を防水カバーの厚みよりも小さくするように突設された環状の防水用押付突起が防水カバーの外周面に押し付けられて密着した状態で防水カバーの後部の周壁が前面側ガイドリブの外周面と前カバーの窓孔の内周面との間に挟持され、上記防水カバーにおいて前面側ガイドリブとの対向面において周方向の全周にわたって前面側ガイドリブとの距離を他の部位よりも小さくするように突設された環状の防水用弾性突起が弾性変形して前面側ガイドリブに密着しているので、従来の防水用リブを筐体の前壁の後面から後方へ突出させた防水構造や筐体内に弾性体シートおよび押え板を配設した防水構造に比べて省スペースで確実な防水機能が得られるという効果がある。また、組立時には筐体の前方から前面側ガイドリブを通してキー挿通孔へキーを挿入してキートップの前端部から連続一体に突設された防水カバーの後端縁を筐体の前面に当接させた後、操作部を露出させる窓孔が形成された前カバーを筐体の前方から固着すれば防水構造が実現されるから、前カバーを筐体に固着する構成として前カバーを筐体に嵌め込む構成を採用することができて、圧入やねじ止めなどの作業が不要になり、組立性が向上するという効果がある。
【００２３】
請求項２の発明は、請求項１の発明において、上記防水カバーの後端部には上記筐体の前面に密着する後鍔片が全周にわたって突設され、上記前カバーの後面において上記窓孔の周部には後鍔片が密着する凹部が形成され、後鍔片は上記筐体の前面と上記前カバーの後面の凹部の底面との間に挟持されているので、従来のように筐体の内部に防水用リブを設けることなしに水の侵入経路の沿面距離を長くすることができ、防水性を高めることができるとともに、上記キーの上記筐体からの脱落を防止することができるという効果がある。
【００２４】
請求項３の発明は、請求項１の発明において、上記スイッチパターンおよび上記キーをそれぞれ複数個ずつ備え、１枚のシート状のゴムに上記複数個のキーがそれぞれ防水カバーを介して一体に形成されているので、複数個のラバースイッチの防水構造を実現することができるという効果がある。
【００２５】
請求項４の発明は、請求項１ないし請求項３の発明において、上記筐体は、上記キー挿通孔の周縁から全周にわたって後方へ筒状の後面側ガイドリブが突設されているので、ラバースイッチの操作性が向上する。
【００２６】
請求項５の発明は、請求項４の発明において、上記前面側ガイドリブおよび上記後面側ガイドリブは、円筒状の形状に形成されているので、ラバースイッチの操作性がさらに向上する。
【００２７】
請求項６の発明は、請求項５の発明において、上記後面側ガイドリブの後端部は、後端縁に近づくほど内径が大きくなる形状に形成されているので、ラバースイッチのキーの先端部が上記後面側ガイドリブに接触するのを防ぐことができる。
【００２８】
請求項７の発明は、請求項１ないし請求項６の発明において、上記操作部の前面の中央部には操作位置を指示する指示凹部が形成されているので、操作部に押力を作用させるべき位置が前面の中央部であることが明確に示され、また、手触りでも分かるようになるから、さらに操作性が向上する。
【図面の簡単な説明】
【図１】実施形態を示す概略断面図である。
【図２】同上を分解した状態の概略断面図である。
【符号の説明】
１  筐体
１ａ  前壁
２  前面側ガイドリブ
３  後面側ガイドリブ
４  キー挿通孔
５  ラバースイッチ
５ａ  キー
５ｂ  キートップ
７  操作部
７ｂ  防水カバー
７ｃ  後鍔片
７ｄ  指示凹部
８  防水用弾性突起
９  前カバー
１０  窓孔
１１  防水用押付突起
１２  回路基板
【図１】
0004345212.tif 000002
【図２】
0004345212.tif 000003